Podtech/llm-jp-corpus-v4-ja_patent huggingface dataset:
(57)【要約】【課題】  正しい歩き方は健康の保持におい非常にて有効であるが頭で理解していても実行となると永年の歩き方を変える事は容易ではないので殆ど実行されていない現状である。【解決の手段】  上記の課題を解決するために履物の踵部を図１のａに見る形状に構成し履物内部の足裏の土踏まずのあたる部位を図１のｂに見る形状に構成して履物を履いた時，履物と足がぐらつきが無く、又履物の形状が踵から接地してつま先に向かって傾斜があるため自然に体重がつま先に移動し、つま先で地面を押すように蹴って歩く事が容易なため、これにて課題は極めて容易に解決されるのである。【選択図】図１
2014023883.tif 000002
【特許請求の範囲】
【請求項１】
履物の踵部ａと足裏の土踏まずがあたる半円板ｂ構成した、正しい歩き方の出来る履物。
【発明の詳細な説明】
【技術分野】
【０００１】本発明は、日常の生活において正しい歩き方によって健康管理に関する。
【背景技術】
【０００２】現在、歩き方に関しては、方法において多くの本等において書かれ、又セミナー等も開かれているが、全体としては１部で一般的には正しい歩き方をしている人は極めて少ないのでスタイルも悪く外反母趾の人も多く見受けられ、足のむくみが出て血流が悪く、履物の磨耗も早いのである。
【発明の概要】
【発明が解決しようとする課題】
【０００３】本発明は、正しい歩き方を日常生活に取り入れる事によってかなりの点で生活が改善されるとの想いから、総ての人が容易に正しい歩き方が出るように考えてなされたものである。
【課題を解決するための手段】
【０００４】それで、本発明は上記の目的を達成するために、履物の踵部を図１のａに見る形状に構成し、内部の足裏の土踏まずのあたる部分を図１のｂに見る形状に構成したものである。【０００５】上記、の課題解決手段による作用は次のとうりである。正しい歩き方とはつま先は上にそらすように踵を接地して次につま先に重心をかけてつま先で蹴って地面を押すようにして歩くのである。しかし頭の中で解っていても実行はすらすらとは出来ないもので、考えなくても履いて歩けば自然と正しい歩き方が出来る履物を考案して使用したところ、上記の目的を達成する事が出来たものである。
【発明の効果】
【０００６】上述したように、本発明の正しい歩き方の出来る履物は履いて歩くと踵が先に接地し、つま先に向かって傾斜があるため自然に重心がつま先に移るので自然につま先を蹴って歩く事が出来るので正しい歩き方の出来る履物を提供できる。
【図面の簡単な説明】
【０００７】
【図１】  本発明の側面図
【発明を実施するための形態】
【０００８】以下、本発明の実施の形態を図１に基づいて説明する。
【０００９】図においては、ａは本発明の履物の踵部、ｂは足裏の土踏まずがあたる部位を図に見るように構成したものである。
【００１０】  以下、上記構成の形状はこの履物を履くと自然に踵が接地し、踏み込むと傾斜があるので自然に重心がつま先に移動するため容易につま先を蹴って歩行する事が可能で本発明の目的は達成される。
【符号の説明】
【００１１】ａ    履物の踵部
ｂ    足裏の土踏まずがあたる半円板
【図１】
2014023883.tif 000003
(57)【要約】【課題】光るリングのＬＥＤの冷却効率を向上すること。【解決手段】高周波電流を供給して天板に載置された鍋を誘導加熱する加熱コイルの略同心円に略環状の導光体を配置し光源であるＬＥＤから導光体に光を入射して略リング状に光らせる光るリングを備え、冷却ファン１から光リングのＬＥＤ７まで続く専用ダクト３を備え、専用ダクト吹き出し口５の周りを囲み、光るリングのＬＥＤ７に漏れなく冷却風が当たるように、シーリング６を備えることにより、光るリングのＬＥＤ７の冷却効率を向上することができる。【選択図】図１
2014123426.tif 000002
【特許請求の範囲】
【請求項１】
冷却ファンと前記冷却ファンから光るリングのＬＥＤに続く専用ダクトと、を備えた電磁誘導加熱調理器。
【請求項２】
前記専用ダクトの天井を板金で構成し、電磁シールドの機能を兼ね備えた請求項１に記載の電磁誘導加熱調理器。
【請求項３】
前記専用ダクトの吹き出し口の周りを囲み、前記光るリングのＬＥＤに漏れなく冷却風が当たるように、シーリングを備えた請求項１または２に記載の電磁誘導加熱調理器。
【発明の詳細な説明】
【技術分野】
【０００１】
本発明は一般家庭で使用される電磁誘導加熱調理器の冷却構造に関するものである。
【背景技術】
【０００２】
従来、この種の電磁誘導加熱調理器は、高周波電流を供給して天板に載置された鍋を誘導加熱する加熱コイルの略同心円に略環状の導光体を配置し光源であるＬＥＤから導光体に光を入射して略リング状に光らせる光るリングを備え、加熱コイル全体を冷却する風の一部で光るリングのＬＥＤを冷却していた（例えば、特許文献１参照）。
【０００３】
図３は特許文献１に記載された従来の電磁誘導加熱調理器を示すものである。図３に示すように冷却ファン１０と光るリングのＬＥＤ１１から構成し光るリングのＬＥＤ１１が冷却されている。
【先行技術文献】
【特許文献】
【０００４】
【特許文献１】特開２００９−２４５７５３号公報
【発明の概要】
【発明が解決しようとする課題】
【０００５】
しかしながら、前記従来の構成では、冷却風が全体に広がるため、光るリングのＬＥＤ１１を効率的に冷却するのが難しいという課題を有していた。
【０００６】
本発明は、前記従来の課題を解決するもので、冷却ファンから光るリングのＬＥＤまで続く専用のダクトを設けることによりＬＥＤの冷却効率を上げることを目的とする。
【課題を解決するための手段】
【０００７】
前記従来の課題を解決するために、本発明の電磁誘導加熱調理器は、冷却ファンから光るリングのＬＥＤまで続く専用のダクトを備えたものである。
【０００８】
これによって、光るリングのＬＥＤの冷却効率を上げることができるようになる。
【発明の効果】
【０００９】
本発明の電磁誘導加熱調理器は、ＬＥＤの冷却効率を向上することができる。
【図面の簡単な説明】
【００１０】
【図１】本発明の実施の形態１における電磁誘導加熱調理器の断面図
【図２】本発明の実施の形態１における電磁誘導加熱調理器の斜視図
【図３】従来の電磁誘導加調理器の斜視図
【発明を実施するための形態】
【００１１】
第１の発明は冷却ファンと前記冷却ファンから光るリングのＬＥＤに続く専用のダクトを備えたことにより、光るリングのＬＥＤの冷却効率を上げることが出来る。
【００１２】
第２の発明は、特に、第１の発明において、前記専用ダクトの天井を板金で構成し、この板金に電磁シールドの機能を備えたものであり、光るリングの冷却効率を上げることができるとともに、電磁波をシールドできる。
【００１３】
第３の発明は、特に、第１または第２の発明において、前記専用ダクト吹き出し口の回りを囲み、前記光るリングのＬＥＤに漏れなく冷却風が当たるようにしシーリングを備えることでより光るリングのＬＥＤの冷却効率をあげることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電磁誘導加熱調理器の断面図を示すものである。図２は本発明の第１の実施の形態における電磁誘導加熱調理器の斜視図を示すものである。
【００１６】
図１、および図２において、高周波電流を供給して天板に載置された鍋を誘導加熱する加熱コイルの略同心円に略環状の導光体を配置し光源であるＬＥＤから導光体に光を入射して略リング状に光らせる光るリングを備え、専用ダクト入り口２は冷却ファン１から冷却風を吸い込むものである。専用ダクト３は電磁誘導加熱コイル８と制御回路９との間に配置し前記専用ダクト入り口２から天板の下方に配置された光るリングのＬＥＤ７に冷却風を導くものである。専用ダクト３は、導電性を有する溶融亜鉛メッキ鋼板製の板金４で天井を、他の面を難燃性に優れ絶縁性を有するポリプロピレン樹脂を成型して構成するものである。シーリング６は、ＥＰＤＭ（エチレン・プロピレン・ジエンターポリマー）ゴムを主成分として耐熱性、耐候性、耐薬品性に優れた伸縮性を有する発泡材で構成され、専用ダクト吹き出し口５を囲んで密封し冷却風が隙間から漏れて拡散しないように設けられている。制御回路９は電磁誘導加熱コイル８に高周波電流を供給するインバーターを駆動して加熱出力を制御する制御回路である。
【００１７】
なお、矢印は冷却風の流れを表している。
【００１８】
以上のように構成された電磁誘導加熱調理器について、以下その動作、作用を説明する。
【００１９】
調理を開始すると冷却ファン１が回転し、外気を取り込み電磁誘導加熱調理器内に吹き込む。その冷却風の一部は空気圧力の作用で専用ダクト入り口２に吸い込まれる。吸い込まれた冷却風は専用ダクト３を通って専用ダクト吹き出し口５から吹き出される。吹き出された冷却風はシーリング６によって拡散することなく、光るリングのＬＥＤ７に当たり本体外殻側面の排出口から外に排出されることにより、集中的に効率良く光るリングのＬＥＤ７を冷却することができる。
【００２０】
また、専用ダクト３の天井は溶融亜鉛メッキ鋼板等の板金４で構成されているので、調理中に電磁誘導加熱コイル８に高周波電流が供給された場合に、電磁誘導加熱コイル８から下方の制御回路９に向かう電磁波をその間に介する板金４でシールドする効果があり、電磁誘導加熱コイル８と制御回路９の相互干渉を抑制することができる。
【００２１】
また、光るリングのＬＥＤ７は、複数配置して、略環状のリングを複数の導光体で円弧をつなげて構成し、各々の光るリングのＬＥＤ７に接続するように専用ダクト３を分岐させてもよい。
【産業上の利用可能性】
【００２２】
以上のように、本発明の電磁誘導加熱調理は光るリングのＬＥＤの冷却効率を向上し、電磁誘導加熱コイルと制御回路の相互干渉を防止することができる製品の開発に適用できる。
【符号の説明】
【００２３】
１  冷却ファン
２  専用ダクト入り口
３  専用ダクト
４  板金
５  専用ダクト吹き出し口
６  シーリング
７  光るリングのＬＥＤ
８  電磁誘導加熱コイル
９  制御回路
１０  冷却ファン
【図１】
2014123426.tif 000003
【図２】
2014123426.tif 000004
【図３】
2014123426.tif 000005
(57)【要約】【課題】通常のランタンは形状が一体化しており、また光源が液状（油脂）の場合や、電源として多数の電池を使用するなど、持ち運びにくかった。【解決手段】ランタンのホルダー部を二つに分離し、また光源部も独立した部品としたこと、そして点灯部に日常的にいつでもどこでも入手できるペットボトルを利用したことにより、簡易且つ安全に携行することが可能となった。【選択図】図１
2014123536.tif 000002
【特許請求の範囲】
【請求項１】
間伐材を利用した木製ホルダーを上下に分離したことを特徴とする簡易携帯型ランタン。
【請求項２】
請求項１記載の簡易携帯型ランタンにおいて、光源は太陽光の電源とＬＥＤライト一体型の光源を特徴とする簡易携帯型ランタン。
【請求項３】
請求項１または２記載の簡易携帯型ランタンにおいて、光源は水電池の電源とＬＥＤライト一体型を特徴とする簡易携帯型ランタン。
【請求項４】
請求項１から３のいずれかに記載の簡易携帯型ランタンにおいて、光源が交換可能に取り付けられることを特徴とする簡易携帯型ランタン。
【請求項５】
請求項１から４のいずれかに記載の簡易携帯型ランタンにおいて、点灯部が交換可能に取り付けられることを特徴とする簡易携帯型ランタン。
【請求項６】
請求項１から５のいずれかに記載の簡易携帯型ランタンにおいて、点灯部がペットボトルであることを特徴とする簡易携帯型ランタン。
【請求項７】
請求項１から６のいずれかに記載の簡易携帯型ランタンにおいて、ホルダー上部及び下部に塗料を装着することを特徴とする簡易携帯型ランタン。
【請求項８】
請求項１から７のいずれかに記載の簡易携帯型ランタンにおいて、ホルダー上部及び下部に外側に絵や写真等の図柄を含む透明な装飾フィルムが貼着されることを特徴とする簡易携帯型ランタン。
【請求項９】
請求項１から８のいずれかに記載の簡易携帯型ランタンにおいて、ホルダー上部及び下部に外側に焼印による刻印が装着されることを特徴とする簡易携帯型ランタン。
【請求項１０】
請求項１から９のいずれかに記載の簡易携帯型ランタンにおいて、点灯部のペットボトルに外側に絵や写真等の図柄を含む透明な装飾フィルムが貼着されることを特徴とする簡易携帯型ランタン。
【請求項１１】
請求項１から１０のいずれかに記載の簡易携帯型ランタンにおいて、上部ホルダーをホーンとして利用できることを特徴とする簡易携帯型ランタン。
【発明の詳細な説明】
【技術分野】
【０００１】  この発明は、照明に用いるランタンの形状及び構造に関するものである。
【背景技術】
【０００２】  従来の照明にもちいるランタンの形状・構造は、その材質はスチール及びガラス製で光源部と点灯部及びホルダー部が一体型である。
【発明の概要】
【発明が解決しようとする課題】
【０００３】  しかし、従来の一体型ランタンでは、スチール製で持ち運びに不便であり、また点灯部がガラス製の場合、割れる危険性もある。また、電源燃料に油脂やアルカリ電池を利用するものは電源としての稼働期間が短い。そこで、この発明は、間伐材を活用した小型、軽量な携帯型のホルダー部及び太陽光・水電池を利用した交換可能な二つの光源部と、これを用いて、どこでも入手できるペットボトルを点灯部として装着することで、さらに装飾的な効果も有する安価で且つ持ち運びに便利な簡易なランタンを提供することを課題とする。
【課題を解決するための手段】
【０００４】  以上の課題を解決するために、第一発明は、ホルダーに間伐材（廃材）を利用したことを特徴とするランタンである。
また、第二発明は、ホルダー部を上部と下部に分離したことを特徴とするランタンである。
また、第三発明は、上部ホルダーと下部ホルダーを紐でつなぐことを特徴とするランタンである。
また、第四発明は、点灯部に未利用或いは使用済みのペットボトルを利用できることを特徴としたランタンである。
また、第五発明は、光源部の電源として太陽光或いは水電池とＬＥＤライトを一体化したことを特徴としたランタンである。なお、光源部は太陽光式或いは電池式と交換が可能である。
また、第六発明は、上部ホルダーを円筒状にくりぬいたことによりホーンとして利用できることを特徴としたランタンである。
【発明の効果】
【０００５】  第一発明、または第二発明、または第三発明によれば、ホルダーを上部と下部に分離したことで、簡易に運びやすくなった。
第四発明によれば、いつでもどこでも点灯部を調達することが可能となった。またガラスの割れる危険性は除去された。
第五発明によれば、必要な日射時間が賄えない場合、電池式の光源部に交換可能なことからいつでもどこでも光源部の電源を調達することが可能となった。
第六発明によれば、非常時におけるホーンとしての利用が可能となった。
【図面の簡単な説明】
【０００６】
【図１】この発明の一実施形態を示す斜視図である。
【図２】水電池利用光源を利用する場合の実施形態を示す斜視図である。
【発明を実施するための形態】
【０００７】  この発明の一実施形態を、図１に示す。
ランタンの本体は、１、２ホルダー部（上下）、３ひも  ４光源部、５点灯部（ペットボトル利用）にそれぞれ分離している。上部及び下部ホルダーは間伐材を利用した木製であり、紐によって一連に組み合わされている。なお下部ホルダーで紐は固定されている。上部及び下部のホルダーは円球状にくりぬかれ、下部ホルダーはペットボトルの口キャップ部含む上部を、上部ホルダーはペットボトルの底部をそれぞれはめ込む。また上部ホルダーの天部には光源部である太陽光一体型ＬＥＤライト、或いは水電池利用一体型ＬＥＤを据え付ける。
【０００８】「実施形態の効果」
この実施形態によれば、ホルダー上下が紐によって組み合わされ、点灯部のペットボトルはしっかりと保持される。また上部ホルダーに設置する光源部は、くりぬいた天部にはめ込むだけであり取り外しや交換が容易である。
「他の実施形態」
図１の実施形態では、光源部は太陽光式電源であったが、他の実施形態では、図２のように水電池式電源を使った光源部でも良い。
【符号の説明】
【０００９】１  下部ホルダー            ２  上部ホルダー
３  ひも                    ４  光源部
５  アジャスター            ６  点灯部（ペットボトル）
【図１】
2014123536.tif 000003
【図２】
2014123536.tif 000004
(57)【要約】【課題】  従来は、光ファイバーを接続して使用するレーザー装置の光軸（焦点、横軸、縦軸位置）調整は、パワーメーターで最大出力を示す位置に合わせるという方法や、レーザーを１パルスだけ照射して、光ファイバー入光部端面の照射点の跡を拡大鏡で目視するという方法がとられていた。  しかし、この両方法共、照射と同時に集光点の焦点、位置は、照射と同時に目視確認することはできないので、光軸調整に多くの時間が費やされる。【解決手段】  レーザー装置から出射されたレーザー光のエネルギーを、減衰フィルターにて減衰し、イメージファイバーにて導光し、ＣＣＤにより、モニター画面に映し出す。  本発明の光軸モニターは、照射と同時に集光点の位置、大きさをモニター画面上で、安全にファイバー入光部端面と集光点の位置関係、大きさを目視できる。よって、光軸調整が正確に且つ短時間でできる。【選択図】図４
2014123691.tif 000002
【特許請求の範囲】
【請求項１】
レーザー装置から出射されたレーザー光のエネルギーを、減衰フィルターにて減衰し、イメージファイバーにて導光し、ＣＣＤにより、モニター画面に映し出せる光軸モニター。
【請求項２】
光ファイバーの入光部端面上でのレーザー集光点の大きさ、位置を直視することなく、安全にモニター画面上で見ることができる請求項１の光軸モニター。
【発明の詳細な説明】
【技術分野】
【０００１】  本発明は、光ファイバーを接続して使用するレーザー装置のレーザー集光点（焦点、横軸、縦軸位置）を直視することなく、光ファイバーの入光部端面とレーザー集光点の位置関係を画面上で目視することができるモニターに関するものである。
本光軸モニターでは、可視光線域から近赤外線域の波長までのレーザー光の集光点を目視できる。
【背景技術】
【０００２】  レーザー装置から出射されるレーザー光の集光点（焦点、横軸、縦軸位置）を確認するのに、従来は、以下の方法で調整が行われていた。
１．パワーメーターで最大出力を示す位置に合わせるという方法。
最大出力を示した位置が正確に正しい集光位置であるかどうかは、確かではない。
ここで言う正しい集光位置というのは、レーザー集光点が光ファイバーの入光部端面の中心に来て、焦点位置であることである。
つまり、この方法は盲目の光軸調整である。
２．光ファイバーの入光部端面を黒マジック等で塗り、レーザーを１パルスだけ照射して、照射された集光点を拡大鏡で目視して、どれだけずれているかを確認していた。
集光位置がずれた分をレーザーヘッドの調整ネジで、集光位置を調整していた。【０００３】  発明した本光軸モニターは、照射と同時に集光点の縦軸、横軸の位置、大きさをモニター画面上で安全に目視することができる。
光ファイバー入光部端面と集光点の位置関係を目視できる。
集光点の縦軸、横軸の位置がモニター画面上の中心に来て、且つ集光点の大きさが最小であれば、光ファイバー入光部端面上で、正しい集光位置（焦点）だと目視で判断ができる。
盲目の光軸調整ではない。
【発明の概要】
【発明が解決しようとする課題】
【０００４】  光ファイバーの入光部端面を黒色マジックで塗り、入光部をレーザー装置に装着して、一パルスだけ照射する。入光部を取り外して、焦光位置のずれを拡大鏡で確認する。
感でレーザー装置側で光軸調整して、再度入光部を取り付け、再度照射する。
この従来の方法では、時間をかけて少しずつは合わせては行けるが、多くの時間を費やす。
パワーメーターで最大出力を示す位置に合わせるという方法もあるが、正確に正しい集光位置であるかどうかは、確かではない。
【課題を解決するための手段】
【０００５】  レーザー装置から出射されたレーザー光のエネルギーを、減衰フィルターにて減衰し、イメージファイバーにて導光し、ＣＣＤにより、モニター画面に映し出す。
【発明の効果】
【０００６】  本光軸モニターで、光ファイバーの入光部端面上でのレーザー集光点を直視することなく、安全にモニター画面上で見ることができる。
レーザーを照射させながら、同時にずれを見ながら、集光位置を正確に正しい位置に合わせることができる。
レーザー装置のメンテナンス、製造時の光軸調整が、正確に且つ短時間でできる。
【図面の簡単な説明】
【０００７】
【図１】レーザー光の焦点位置（光軸）がずれている例  （不良）
【図２】レーザー光の焦点位置（光軸）が合っている例  （良）
【図３】レーザー光の焦点の位置及び距離（光軸）がずれている例  （不良）
【図４】従来の光軸の調整方法
【図５】モニター画面上に映像されるレーザー光の集光点。直視ではなくモニターで、集光点の光ファイバー入光部端面との位置関係を目視できる。
【図６】光軸モニターの構造原理図
【発明を実施するための形態】
【０００８】  以下、本発明の実施の形態を図６に基づいて説明する。
【０００９】  光軸調整をするレーザー装置に本光軸モニターのイメージファイバーを接続する。
【００１０】  レーザー装置からのレーザー光を減衰フィルターに透過させ、エネルギーを減衰させる。
減衰フィルターを透過したレーザー光は、イメージファイバーにより導光され、レンズでＣＣＤに当てる適正な大きさに集光される。
ＣＣＤに当ったレーザー光は、モニターに映像される。
以上の本実施形態により、光ファイバー入光部端面と集光点の位置関係をモニター画面上で、目視ができる。
【符号の説明】
【００１１】  １  光ファイバーの端面
２  レーザーの集光点
３  第１工程。光ファイバーの端面を黒色マジックで黒色に塗る
４  フェルール（金属）（レーザー装置へ接続される挿入筒）
５  第２工程。弱いエネルギーのレーザーを１パルス照射する。集光点だけが白くなる      。
６  第３工程。拡大鏡で集光点位置及び大きさを目視確認する。
７  第４工程。集光点位置、焦点がずれている場合は、レーザー装置側で光軸調整する      。集光点が中心、焦点が一致するまで、マジック塗り、レーザー照射、拡大鏡での      確認、フェルールの取外し、取付けを繰り返す。
８  レーザー光の焦点距離（光軸）がずれた集光位置（不良）
９  レーザー光の焦点位置（光軸）がずれた集光位置（不良）
１０  レーザー光の焦点が合った集光位置（良）
１１  レーザー
１２  レーザー装置側の集光レンズ
１３  減衰フィルター
１４  レンズ１
１５  イメージファイバー
１６  レンズ２
１７  ＣＣＤ
１８  レーザー装置との接続コネクター
１９  ケーブル
２０  映像モニター
【図１】
2014123691.tif 000003
【図２】
2014123691.tif 000004
【図３】
2014123691.tif 000005
【図４】
2014123691.tif 000006
【図５】
2014123691.tif 000007
【図６】
2014123691.tif 000008
(57)【要約】【課題】  炭酸ガス高圧容器から炭酸ガスを利用した美顔器へ流入する高い一次圧によって、ガス漏れと機器の破損を防ぐことを課題とする。また、高圧炭酸ガスを利用した美顔器において、圧力調整を可能にした一体構造の意匠の実現を課題とする。【解決手段】  炭酸ガス高圧容器と一次側圧力調整弁の中間に、ネジ式の開閉専用弁１６を設けることで、ガス漏れと機器破損を防ぐという課題を解決した。また、スプリングパッド７にネジ部を設け、圧力調整用のギヤ‐ツマミ９に歯車を設け、それぞれに連動する歯車状のナット（ギヤ‐ナット８）でスプリングパッド７を上下させ、圧力調整用のツマミを調圧バネの負勢方向に対し直角方向から操作可能にし、圧力調整を可能にした一体構造の意匠の実現の課題を解決した。【選択図】図１
2014123333.tif 000002
【特許請求の範囲】
【請求項１】
高圧容器の高圧炭酸ガスを、化粧水をミスト化し噴霧するために減圧し、ノズルに供給するガス圧力調整器において、一次側の調圧弁とガスボンベの開口部との中間にネジ式の開閉専用弁を設けたことを特徴とする高圧ガス用小型圧力調整弁。
【請求項２】
高圧容器の高圧炭酸ガスを、化粧水をミスト化し噴霧するために減圧し、ノズルに供給するガス圧力調整器において、スプリングパッドにネジ部を設け、圧力調整用のツマミに歯車を設け、それぞれに連動する歯車状のナットでスプリングパッドを上下させ、圧力調整用のツマミを調圧バネの負勢方向に対し直角方向から操作可能にしたことを特徴とする高圧ガス用小型圧力調整弁。
【発明の詳細な説明】
【技術分野】
【０００１】  本発明は、一次側の圧力が著しく高い炭酸ガスボンベ等を使用する機器において、使用保存状態でのガス漏れ防止を可能にした小型圧力調整弁に関するものである。
【背景技術】
【０００２】  炭酸ガスカートリッジを利用した美顔器等の従来品において、それらに使用されるレギュレーターは、調圧部の開閉弁のみで一時側の高圧を直接受ける構造で有り、使用途中で保管する際は、調圧をゼロにすることで対応している。しかし、この方法では不完全で、使用途中状態での保管を困難にし、且、時間経過で二次側が高圧となり、機器破損の懸念があった。【０００３】
【特許文献１】  特許公開２０１１−２３５１１６
【発明の開示】
【発明が解決しようとする課題】
【０００４】  （イ）  保管時に調圧弁に直接一次側の高圧が掛ることを回避するための一次側専用の        開閉弁の併設。
（ロ）  意匠上において、従来品は圧力調整用のツマミが調圧バネの負勢方向に存在し        たため制約があった。例として、圧力調整部を優先する結果、化粧水等を噴霧す        るノズル部を切り離した構造の物。また、圧力調整機能を犠牲にして一体化する        しかなかった。圧力調整を可能にした一体構造の意匠の実現。
本発明は、これらの問題点を解決するためになされたものである。
【課題を解決するための手段】
【０００５】  本発明（請求項１）は、一次側の調圧弁とガスボンベの開口部との中間にネジ式の開閉専用弁を設けることでガス漏れを防止したレギュレーター。【０００６】  本発明（請求項２）は、圧力調整用のツマミを調圧バネの負勢方向に対し直角方向から操作可能にするため、スプリングパッドにネジ部を設け、圧力調整用のツマミに歯車を設け、それぞれに連動する歯車状のナットでスプリングパッドを上下させ、圧力調整操作を可能にしたレギュレーター。
【発明の効果】
【０００７】  使用途中での保管状態時は、一次側専用弁を閉めることでガス漏れが起こらない。【０００８】  使用途中での保管状態時でも、一次側専用弁を閉めることで、二次側が高圧になることを防止出来、二次側が破損しない。【０００９】  圧力調整機能を犠牲にすることなく、レギュレーター部とノズル（タンク）部を一体にした意匠設計が可能となる。
【発明を実施するための最良の形態】
【００１０】  以下、本発明の実施形態について説明する。本発明のレギュレーターは、高圧炭酸ガス容器から炭酸ガスを取り出す際に、容器の内圧（一次圧）を所望の圧力（二次圧）に減圧するために使用される。本発明の圧力調整器の最も効果的な形態は、従来の化粧水を炭酸ガスの噴射によってミスト状にし、皮膚に噴霧する美顔器を、圧力調整機能を有したまま、携帯可能な形状まで小型化できるようになる。
【実施例１】
【００１１】  本発明の実施例１を図３に示す。図１は図３の展開図である。圧力調整動作は、一般的なダイヤフラムを有するレギュレーターである。一次側の調圧弁とガスボンベの開口部との中間にネジ式の開閉専用弁を設けるため、ハウジングＣ３には、中心軸と外周円の中間軸に流入孔を設け、中心軸を通る噴出孔と内部にて垂直方向に貫通させ、通気孔を鍵型状にし、流入孔と同軸上で通気孔を遮断するようにネジ孔を開口し、開閉専用弁１６を螺合している。ＯリングＣ１９はシール部材である。また、圧力調整用のツマミを調圧バネの負勢方向に対し直角方向から操作可能にするため、ハウジングＡ１の中心軸上に、スプリングパッド７を上下するようにギヤ‐ナット８を設け、ギヤ‐ナット８と噛み合い、且、ギヤ‐ナット８の外周がハウジングＡ１の外周からはみ出すように、ギヤ‐ツマミ９をギヤ‐ツマミ軸１０にてハウジングＡ１に軸止している。
【図面の簡単な説明】
【００１２】
【図１】本発明の高圧ガス用小型圧力調整弁の展開図である。（［図３］の展開図）
【図２】従来品の高圧ガス用小型圧力調整弁を示した説明図である。
【図３】本発明の高圧ガス用小型圧力調整弁の説明図である。（実施例１）
【符号の説明】
【００１３】  １    ハウジングＡ
２    ハウジングＢ
３    ハウジングＣ
４    ハウジングＤ
５    カートリッジ開口針
６    フィルター
７    スプリングパッド
８    ギヤ‐ナット
９    ギヤ‐ツマミ
１０    ギヤ‐ツマミ軸
１１    ダイヤフラム
１２    スプリング座金
１３    スプリングＡ
１４    ニードルバルブ
１５    スプリングＢ
１６    開閉専用弁
１７    パッキン
１８    ＯリングＡ
１９    ＯリングＢ
２０    エルボニップル
２１    二次バルブ
２２    炭酸ガスカートリッジ
【図１】
2014123333.tif 000003
【図２】
2014123333.tif 000004
【図３】
2014123333.tif 000005
(57)【要約】【課題】洗濯物を物干しハンガーに一まとめに干したい時に、洗濯ばさみが数個不足する場合がある。従来は２つの洗濯物を１つの洗濯ばさみに挟んだり、輪状紐付きの洗濯ばさみを物干しハンガーのフレームに取付けたりするのが適当であったが、洗濯物どうしが接触して、乾燥を妨げる不都合が生じていた。【解決手段】付属の２本の紐を、隣接する物干しハンガーの洗濯バサミのバネ部分に引っ掛ける事により、容易に追加が可能で、隣り合う洗濯物との間隔が維持出来るため、乾燥を妨げない洗濯ばさみを提供する。【選択図】図２
2014213026.tif 000002
【特許請求の範囲】
【請求項１】
本体バネ部分に先端が鉤状の紐を２本設け、物干しハンガー付属の隣接する洗濯ばさみに容易に取付けが可能であり、それぞれに挟んだ洗濯物の間隔を維持出来る洗濯ばさみ。
【発明の詳細な説明】
【技術分野】
【０００１】
本発明は、物干しハンガーに追加する洗濯ばさみに関するものである。
【背景技術】
【０００２】
従来は物干しハンガーの洗濯ばさみが不足した場合は、２つの洗濯物を１つの洗濯ばさみに挟むか、図５のように輪状紐付きの洗濯ばさみを物干しハンガーのフレーム部分に追加する事が適当であった。
【先行技術文献】
【特許文献】
【０００３】
【特許文献１】実開昭６３−１７５５９２
【発明の概要】
【発明が解決しようとする課題】
【０００４】
しかしながら、以上の方法では風の影響もあり、隣接する洗濯物どうしが接触して乾燥しにくいという不都合が生じていた。
【０００５】
本発明は簡単な動作で物干しハンガーに追加が可能であり、隣接する洗濯物の間隔を維持し、乾燥を妨げない洗濯ばさみの提供を目的とする。
【課題を解決するための手段】
【０００６】
以上の課題を解決するために、第一発明は、バネ部分に２本の紐を取り付けたことを特徴とする洗濯ばさみである。
【０００７】
また第二発明は、２本の紐の先端部が、物干しハンガーに付属する洗濯ばさみのバネ部分に取付可能な、鉤状の形状であることを特徴とする洗濯ばさみである。
【発明の効果】
【０００８】
第一発明により、２本の紐を設けた事で隣接する洗濯物との間隔を維持し、洗濯物が乾燥しやすい。
【０００９】
第二発明により、紐の先端を鉤状にしたので、物干しハンガー付属の洗濯ばさみに容易に取付が可能である。
【図面の簡単な説明】
【００１０】
【図１】本発明本体を示す正面図である。
【図２】本発明の一実施形態を示す正面図である。
【図３】本発明の一実施形態を示す正面図である。
【図４】本発明の一実施形態を示す斜視図である。
【図５】従来技術を示す斜視図である。
【発明を実施するための形態】
【００１１】
図１は洗濯ばさみのバネ中央部分に硬いナイロン製の紐が２本、穴を通して取り付けてある。紐の先端部は鉤状の形態をしている。
【００１２】
この２本の紐の先端部を、図２のように物干しハンガーの隣り合う洗濯ばさみのバネ外側部に引っ掛けて、本体を吊り下げる。
【００１３】
物干しハンガーの洗濯ばさみが外側にバネの露出が無いタイプの場合は、図３のようにバネ中央部に紐先端部を引っ掛けることが可能である。
【実施例】
【００１４】
図４はそれぞれの洗濯ばさみに洗濯物を干した状態であり、隣接する洗濯物が間隔を維持し、洗濯物の乾燥が期待出来る。
【符号の説明】
【００１５】
１  本発明本体
２  洗濯ばさみ片方部
３  洗濯ばさみ片方部
４  バネ
５  紐
６  紐
７  紐先端部
８  紐先端部
９  物干しハンガー付属の洗濯ばさみ
１０  洗濯物
１１  物干しハンガーフレーム
１２  輪状紐付き洗濯ばさみ
【図１】
2014213026.tif 000003
【図２】
2014213026.tif 000004
【図３】
2014213026.tif 000005
【図４】
2014213026.tif 000006
【図５】
2014213026.tif 000007
(57)【要約】【課題】詰将棋の設問のくり返しの煩雑さを軽減すべく、設問が記載された将棋盤で、対局を為す場合、将棋盤上の記載された印字駒と、現物の対局動態駒の視認識別に混同錯覚を為す欠点が生じる【解決手段】このため、将棋盤上に記載する設問図駒を種々の方法により、対局動態駒との視認識別性を向上させる方法である【選択図】図１
2014213201.tif 000002
【特許請求の範囲】
【請求項１】
詰将棋の、設問の駒配置が印字記載された将棋盤に於いて、設問図の配置駒が、薄い印字、異色の印字、書体を変えた印字、縮小印字、対局中は設問駒の消去、透明板の下でのロール状設問の巻き取り消去、その他任意の方法、により、将棋盤に記載された詰将棋の設問駒印字と、対局に於いての動態駒との、視認性の差別化の向上を図る方法
【発明の詳細な説明】
【技術分野】
【０００１】本発明は将棋盤に関する表示方法である
【背景技術】
【０００２】一般的に、詰将棋を解く場合、途中で行き詰まり、何回も最初の設問配列図を繰り返し作成る必要が生じる、この不便さを回避すべく詰将棋の設問が印字された将棋盤を使用する場合、設問配列図のくり返し設定に、煩雑さ及び時間的に優位をえるものである
【先行技術文献】
【特許文献】
【非特許文献】
【発明の概要】
【発明が解決しようとする課題】
【０００３】然るに、設問の初期設定の駒配列には優位、便利を得るが、対局中は将棋盤に印字された駒配列図は、対局者の動態駒との視認性の識別、の邪魔になり錯覚、雑念思考、を生むものである、そこでこの弊害を軽減せんとするものである
【課題を解決するための手段】
【０００４】例えば、設問配列駒の印字だけを、薄く印字、異色の印字、書体を変えた印字、縮小印字、などの方法、設問の駒配列時だけ表示を為し対局中は消字をさせる方法、ガラス板の下に設問を表示させ対局開始時に配置図を抜き取ったり覆いを被せたり、ロール状に巻き取る方法、電気電子などを利用し表示、消去を為す方法、など種々の方法が考えられるが、任意の方法で、駒配列図と対局動態駒との視認性の識別の向上を図る方法である
【発明の効果】
【０００５】これにより、対局者の、盤上の印字と対局動態駒の差別の視認、識別が向上し、錯覚による失敗を軽減、減少させる効果が得られるものである
【図面の簡単な説明】
【０００６】
【図１】薄く印字した詰将棋の設問配列駒図であり、盤下の実線の駒は、対局動態駒である
【発明を実施するための形態】
【０００７】例えば第１図の如く将棋盤に設問配列図を記載する駒を、薄く印字する、
【符号の説明】
【０００８】    １・・将棋盤    ２・・薄く印字した設問駒    ３・・対局動態駒（持ち駒）
【図１】
2014213201.tif 000003
(57)【要約】      （修正有）【課題】車載テ−ブルを簡単に取り付け取り外しのできるハンドル掛けテ−ブルを提供する。【解決手段】棚板の裏に半円形のハンドル掛けカバ−を設け、使用するときはハンドル掛けカバ−をハンドル上部に掛け、折りたたみ式の棚板を前に出してテーブルとする。【選択図】図２
2014213845.tif 000002
【特許請求の範囲】
【請求項１】
棚板（１）の裏に半円形のハンドルカバ−（７）を設けハンドル上部に掛ける。
棚板（２）を前に出し、テーブルとすることを特徴とするハンドル掛けテ−ブルである。
【発明の詳細な説明】
【技術分野】
【０００１】この発明は車載テ−ブルを簡易に取り付け取り外しのできるハンドル掛けテ−ブルに関するものである。
【背景技術】
【０００２】従来の車載用テーブルは、ドライバ−が運転席で使えないものであった。
【先行技術文献】
【特許文献】
【０００３】
【特許文献１】
【発明の概要】
【発明が解決しようとする課題】
【０００４】これは、次のような欠点があった。（イ）運転席から離れていた。
（ロ）ドライバ−席を移動しなければならなかった。
（ハ）取り付け取り外し収納に手間がかかる。
本発明は以上のような欠点を除くためになされたものである。
【課題を解決するための手段】
【０００５】棚板（１）の裏に半円形のハンドルカバ−（７）を設けた。
そのハンドルカバ−（７）をハンドル上部に掛ける。
本発明は以上の構成よりなるハンドル掛けテ−ブルである。
【発明の効果】
【０００６】（イ）棚板（１）の裏に取り付けたハンドルカバ−（７）をハンドル上部に掛けるだけなので、取り付け取り外しが簡易である。
（ロ）ドライバ−が席の移動をしなくてよい。
（ハ）車が変わっても取り付け取り外しが簡易である。
（ニ）棚板（１）の上部にある穴にヒモを通し、助手席運転席の後ろに吊るせば後部席でも使える。
（ホ）折りたたみ式で使用後の収納に場所をとらない。
（ヘ）室内では本立てとしても使え、持ち運びも便利である。
【図面の簡単な説明】
【０００７】
【図１】本発明の正面図
【図２】本発明の裏面図
【図３】本発明の左側面図
【図４】本発明ハンドルカバ−装着裏面図
【発明を実施するための形態】
【０００８】以下、発明を実施するための形態について説明する。
棚板（１）に棚板（２）を折りたたみ式金具（３）（４）で接続し、接続した棚板（１）の裏側にハンドルカバ−（７）を取り付け車のハンドル上部に掛ける。本発明は以上のような構造である。本発明を使用するときは棚板（１）の裏に取り付けたハンドルカバ−（７）をハンドル上部にかけるだけである。
【符号の説明】
【０００９】１棚板
２棚板
３接続金具
４接続金具
５角度調整金具
６角度調整金具
７ハンドルカバ−
【図１】
2014213845.tif 000003
【図２】
2014213845.tif 000004
【図３】
2014213845.tif 000005
【図４】
2014213845.tif 000006
(57)【要約】      （修正有）【課題】空気注入具を備え、直方体形状の携帯用救命浮き袋に関して、空気の漏れ等の危険を最小限度に低減させ、安全性の向上と生産工程の簡易化を図る製作方法を提案する。【解決手段】接合部分を少なくするために、２枚のシートを使用し、製作する。これにより、溶着部分が最少となり、空気注入具の装着も確実、かつ容易にでき、空気漏れの危険を低減できる。また、浮き袋の形状を直方体形状とすることで、浮力が容易に計算ができる。【選択図】図１
2014213844.tif 000002
【特許請求の範囲】
【請求項１】
ランドセル等の収納体に内包して使用する直方体形状の携帯用救命浮き袋に関して、安全性の確保と生産工程の簡便性を目的とする製造方法。
【発明の詳細な説明】
【技術分野】
【０００１】本発明は、空気注入具を備え、直方体形状の携帯用救命浮き袋の製作方法に関するものである。
【背景技術】
【０００２】空気注入製品は、溶着部分からの空気漏れが不具合の大きな要素である。
【先行技術文献】
【特許文献】
【０００３】
【非特許文献】
【０００４】
【発明の概要】
【発明が解決しようとする課題】
【０００５】空気注入具を備え、空気漏れの危険を最少に抑え、直方体形状を維持できる浮き袋の製作。
【課題を解決するための手段】
【０００６】接合部分を少なくするため２枚のシートを使用し、携帯可能な直方体形状にするため各々のシートに折り曲げ加工を施す。
【発明の効果】
【０００７】２枚のシートで製作することにより溶着部分を少なくし、空気注入具の装着も確実、容易になり、空気漏れの危険を低減できる。【０００８】生産工程の簡易化により、大量生産も可能となり、製品コストを低減できる。【０００９】直方体形状により、浮力計算が容易にでき、ニーズに合った容量の製品を簡便に製作できる。
【図面の簡単な説明】
【００１０】
【図１】２枚のシートに折り曲げ加工を施し、片方に空気注入具を装着した図面。
【図２】２枚のシートの最終接合図。
【図１】
2014213844.tif 000003
【図２】
2014213844.tif 000004
(57)【要約】      （修正有）【課題】従来の結束バンドの形状では１つの結束しかできなかった。種類の違う２つ又はそれ以上の結束群や複数の対象物同士を１本の結束バンドで結束する事が可能な結束バンドを提供する。【解決手段】結束バンド本体先端部１に、同型の結束バンド固定部２及び２’の二つが、又は２”を追加する事により三つが一体的に設けられ、結束バンド本体を８の字を書く様に複数の結束輪を繰り返し連続して形成し使用できるようにすることを特徴とする。【選択図】図１
2014213946.tif 000002
【特許請求の範囲】
【請求項１】
結束バンドにバンド固定部を複数設けた事を特徴とする結束バンド。
【請求項２】
１本の結束バンドを８の字を書く様に結束輪を繰り返し連続して形成しながら使用する事で１本の結束バンドで複数の結束群、又は複数の対象物同士、を結束する事を特徴とする結束バンド。
【発明の詳細な説明】
【技術分野】
【０００１】この発明は、園芸、家庭菜園、電化製品の電気コード等に用いる結束バンドの形状に関する。
【技術背景】
【０００２】従来の結束バンドの形状は図２に示すように、結束バンド１本に対し結束後のバンドの固定部が１か所設けられたものである。
【発明の概要】
【発明が解決しようとする課題】
【０００３】しかしながら以上の技術によれば、１本の結束バンドで結束したいものが一つの対象物又は結束群のみにしか使用できなかった。結束したい群が複数存在する場合でも１本の結束バンドでそれぞれの群が混り合う事なく結束できる事、及び一つ以上の対象物同士を結束できる事を課題とする。
【課題を解決するための手段】
【０００４】以上の課題を解決するために、１本の結束バンドに固定部を２か所又はそれ以上の任意の数の固定部を設ける事により結束バンド本体を８の字を書く様に複数の結束輪を繰り返し連続して形成し使用できるようにすることを特徴とする結束バンドである。
【発明の効果】
【０００５】この発明によれば、１本の結束バンドで２つ又はそれ以上の結束群又は対象物同士を結束することが可能となる。
【図面の簡単な説明】
【図１】この発明の一実施形態を示す斜視図である。
【図２】従来技術を示す斜視図である。
【発明を実施するための形態】
【０００６】この発明の一実施形態を、図１に示す。この結束バンドはプラスチック製であり、バンドの先端部１に同型の固定部２及び２’の二つが、又は２”を追加する事により三つが一体的に設けられている。
この図の様に固定部は任意の数を追加できる。
【０００７】「実施形態の効果」
この実施形態によれば、固定部２，２’の二つ、又は２”を加えて三つ、又はそれ以上ある事で、１本の結束バンドを８の字を書く様に結束輪を繰り返し連続して形成しながら使用する事で１本の結束バンドで２つの、又はそれ以上の複数の結束群、又は対象物同士を結束する事が可能になる。
【符号の説明】
【０００８】１    結束バンド部の先端
２    結束バンド固定部
２’  結束バンド固定部
２”  結束バンドの固定部
【図１】
2014213946.tif 000003
【図２】
2014213946.tif 000004
(57)【要約】【課題】従来の挟持式のテープカッターはテープを挟持する間隔を簡単に変えることが出来ずテープの取付け、取外しが簡単に出来なかった。【解決手段】本軸受部は遊挿孔を設けた（１）テープ台本体と、前記（１）テープ台本体に遊挿される（２）軸受と、前記（２）軸受に結合する（３）握りと、（４）弾性部材からなり前記（２）軸受には遊挿孔が設けられ（５）挟持部を回転可能に遊挿可能である。前記（３）握りを引くことで挟持間隔を広げ、前記（３）握りを放すと前記（４）弾性部材により挟持間隔を狭めてテープを回転可能に挟持する。【選択図】図１
2014214000.tif 000002
【特許請求の範囲】
【請求項１】
遊挿孔を設けた（１）テープ台本体と、
前記（１）テープ台本体に遊挿される（２）軸受と、
前記（２）軸受に結合する（３）握りと、
（４）弾性部材からなり
前記（２）軸受には遊挿孔が設けられ（５）挟持部を回転可能に遊挿可能である。
この様な構成を特徴とする軸受部。
【請求項２】
（３）握りを引くことで挟持間隔を広げ、前記（３）握りを放すと（４）弾性部材により挟持間隔を狭めてテープを回転可能に挟持することを特徴とする請求項１に記載の軸受部。
【発明の詳細な説明】
【技術分野】
【０００１】
本発明はテープを挟持する間隔を簡単に変えることが出来る可動式の軸受部に関する。
【背景技術】
【０００２】
従来の挟持式のテープカッターではテープを挟持する間隔をテープの押し込む圧力、又は螺子構造を用いて変えていた。
【発明の概要】
【発明が解決しようとする課題】
【０００３】
従来の挟持式のテープカッターはテープを挟持する間隔を簡単に変えることが出来ずテープの取付け、取外しが簡単に出来なかった。
【課題を解決するための手段】
【０００４】
本軸受部は
遊挿孔を設けた（１）テープ台本体と、
前記（１）テープ台本体に遊挿される（２）軸受と、
前記（２）軸受に結合する（３）握りと、
（４）弾性部材からなり
前記（２）軸受には遊挿孔が設けられ（５）挟持部を回転可能に遊挿可能である。
前記（３）握りを引くことで挟持間隔を広げ、前記（３）握りを放すと前記（４）弾性部材により挟持間隔を狭めてテープを回転可能に挟持する。
【発明の効果】
【０００５】
本発明は握りを引いたり放す事でテープを挟持する間隔を変え、簡単にテープの取付け、取外しが出来る。
【図面の簡単な説明】
【０００６】
【図１】本発明の平面図である。
【図２】テープ台本体の平面図である。
【図３】軸受の平面図と側面図である。
【図４】握りの平面図と側面図である。
【図５】テープ台本体を除いた軸受部の分解図である。
【符号の説明】
【０００７】
（１）テープ台本体
（２）軸受
（３）握り
（４）弾性部材
（５）挟持部
【図１】
2014214000.tif 000003
【図２】
2014214000.tif 000004
【図３】
2014214000.tif 000005
【図４】
2014214000.tif 000006
【図５】
2014214000.tif 000007
(57)【要約】      （修正有）【課題】一つの額に於いても多種類の絵を入れられるような、かべかけ及び卓上型額を提供する。【解決手段】一枚の長方形の厚紙の片面又は両面にやはり長方形でその一辺が開口部となっている透明フィルム袋を貼り付けて、ポケットとし最上部に吊るし孔を設けてかべかけ額とし、また同様なポケット付き用紙を△形に折り曲げて、その頂辺又は側辺にポケットの開口部がくるようにし、用紙の上下端を重ね合せて接着して平らな底面として△形の卓上額とする。【選択図】図２
2014213187.tif 000002
【特許請求の範囲】
【請求項１】
一枚の長方形の厚紙１を原紙とし、これを所要の複数区画に分割し所定の区画上に開口部を上向き又は下向きに透明フィルムから成るポケットを貼り付け、各区画の境界線を折り目として上下方向に所定の方法で折り、最上の小区画と最下の中区画とを重ね合せて接着し、全体を△状に成形して重ね合せ部分を平らな底面とする  △状筒として卓上に置けるようにして、ポケット付き卓上型フレーム（額）とし、又そのポケットに入れる絵や写真のサイズを固定せず、サイズの変更に対応できるよう、絵を仮止めするためのサイズ調整紙をポケットの中に入れることによって得られる卓上型ポケット付きフレーム及び、△状に折らずに平らなまま最上部の吊るし孔によってかべに掛けられる多目的型を特徴とするポケト付きフレーム。
【発明の詳細な説明】
【技術分野】
【０００１】  本発明は現在一般に利用されている絵や賞状を入れて、壁にかけ、又は卓上型として利用されている額に関するもの。
【背景技術】
【０００２】  従来のかべかけ用及び卓上用額は、木製、アルミ・・・の外枠の内側の透明ガラス窓の内側に絵を入れて、これを裏板によってはさんだ構造のものであって、複雑な構造なので制作が面倒で高価であり現在の大半の家の構造では壁に掛けにくく不便である。
かつ一つの額には一種類のサイズの絵のみしか入れられない点が不便である。
【発明の開示】
【発明が解決しようとする課題】
【０００３】１・構造が簡単で制作し易いこと。
２・かべかけ型だけでなく卓上型をも共通の用紙及び手法によって制作できること
３・内部に入れる絵や写真が汚れにくいこと。
４・額に付属するポケットには複数枚の絵を入れ易いこと。
５・絵のサイズが変わっても調整できるようにすること。
【課題を解決するための手段】
【０００４】  一枚の長方形の厚紙の一部に透明フィルムから成るポケット袋を貼り付けて、その上部の開口部から絵を内部に挿入出来るようにし更に厚紙の最上部に吊るし孔を設けてポケット付き、かべかけ額とする。
次にこのポケット付き用紙を△に折り卓上における卓上用額とする。
またポケット内部に別のサイズ調整紙を予め入れておき、これに＼  ／形の切り込みを施して、サイズの異なる複数の絵を挿入することによって、従来とは異なり１セットの額で数種の絵を入れられる額が得られるようにする。
【発明の効果】
【０００５】  従来品と比べ次の効果を持つ。
１・紙製なので制作が簡単で低コストで済む。
２・かべかけ型と卓上型の２種類が共通の素材や手法で制作可能である。
３・透明袋のポケット付きなので、その中にカードや絵を複数枚入れて外から眺められる。
４・中身の絵はポケットに入るので汚れを防ぐことができる。
５・絵のサイズが変わっても額そのものを変えることなくポケットに入れる、調整紙を利用することによってサイズが変っても共通のポケット付き額を用いることが出来る。
例えば、Ａ−５、Ａ−６、Ｂ−６・・・
６・透明袋の上部を封緘式にして、中身を入れて封緘すれば郵送でき、開封すればそのまま、かべかけフレームとなり、便利で無駄がない。
【発明を実施するための最良の形態】
【０００６】  図１のようなタテ長の厚紙１を用意し、その４隅をＡ，Ｂ，Ｃ，Ｄとし、上から小区画１−１、大区画１−２，１−３、中区画１−４，１−５に分割し、それぞれの境界線をＥＦ，ＧＨ，ＩＪ及びＫＬとし、それらを折り目として、図２のように全体を△形の三角筒２に成形し、その底辺区画１−５に最上部の小区画１−１を重ねて、のり、又は両面テープで接着し、１−４，１−５の境界線ＫＬによって全体が二つ折りされるようにする。
図２のようにＥＩＪＦを平らにして卓上に置けるポケット付き卓上型フレームとする。
次に図３のような透明フィルム袋２を三角筒３の１−２、１−３区画に重ねて、それぞれの開口部ＭＰが上向きになるよう、のり又は両面テープで接着してポケットとし、更に図４に示すように絵のサイズ調整紙４を挿入する。この４はポケット２に入るやや小型の同形の用紙で、サイズの異なる絵や写真のサイズに合わせて、その下辺の二つの隅を挿入するための切れ目Ｕ１，Ｕ２，・・・を施したものでサイズ調整紙とする。
以上は△型卓上用ポケット付きフレームであるが、この他全体を折らずに平らのままとし区画１−２、１−３に透明ポケットをその開口部が上向きになるように接着し、区画１−１の中央に吊るし孔を施して、かべかけ型とする。
【図面の簡単な説明】
【０００７】
【図１】本発明に於ける透明ポケット付きフレーム原紙の正面図
【図２】本発明に於ける卓上型透明ポケット付きフレームの見取図
【図３】本発明に於けるポケットの正面図
【図４】本発明に於けるサイズ調整紙の正面図
【符号の説明】
【０００８】  １．１                      本発明に於けるポケット付きフレームの原紙
２．Ａ．Ｂ．Ｃ．Ｄ          原紙の４隅
３．１−１．１−２．１−３．１−４．１−５    原紙に於ける６分割された区画
４．ＥＦ．ＧＨ．ＩＪ．ＫＬ  原紙に於ける５分割された区画の境界線
５．２                      本発明に於ける透明フィルム袋
６．３                      本発明に於ける卓上型フレーム
７．Ｍ．Ｎ．Ｏ．Ｐ          本発明に於けるポケットの４隅
８．Ｑ，Ｒ，Ｓ，Ｔ          本発明に於けるサイズ調整紙の４隅
９．Ｕ１，Ｕ２，…          本発明に於けるサイズ調整紙に於ける切れ目
【図１】
2014213187.tif 000003
【図２】
2014213187.tif 000004
【図３】
2014213187.tif 000005
【図４】
2014213187.tif 000006